(57)【要約】【課題】複数の任意形状を有する部位が同心状に一体化された同心状部材において、前記部位間の同心度を迅速に測定し得る安価で簡便な同心度測定器を提供する。【解決手段】複数の部位が同心状に一体化された同心状部材２０における前記部位間の同心度測定器１であって、前記同心状部材２０を構成する部位のうちの何れか一つの部位２２を測定基準部位として載置するホルダー２と、その他の同心度測定対象となる測定対象部位２１の外形に接触させる測定針３と、前記測定対象部位２１に前記測定針３の先端を接触させた際、前記ホルダー２に載置された前記測定基準部位２２の軸心Ｃと、前記測定対象部位２１に接触した状態の測定針３先端とのなす寸法Ｌ０に対応した相対的寸法Ｌを測定する寸法測定手段とを備えた。【選択図】図４
2008185562.tif 000002
【特許請求の範囲】
【請求項１】
複数の部位が同心状に一体化された同心状部材における前記部位間の同心度測定器であって、前記同心状部材を構成する部位のうちの何れか一つの部位を測定基準部位として載置するホルダーと、その他の同心度測定対象となる測定対象部位の外形に接触させる測定針と、前記ホルダーに載置された同心状部材の前記測定対象部位に前記測定針の先端を接触させた際、前記ホルダーに載置された前記測定基準部位の軸心と、前記測定対象部位に接触した状態の測定針先端とのなす寸法に対応した相対的寸法を測定する寸法測定手段とを備えたことを特徴とする同心度測定器。
【請求項２】
前記寸法測定手段がノギスであって、前記ホルダーがこのノギスの外側測定用スライドジョーに固定される一方、前記測定針が前記ノギスの外側測定用先端ジョーに固定されたことを特徴とする請求項１に記載の同心度測定器。
【請求項３】
前記測定針が、前記同心状部材の軸心方向にスライド可能に構成されたことを特徴とする請求項１または２に記載の同心度測定器。
【請求項４】
前記ノギスがデジタルノギスであることを特徴とする請求項１乃至３のうちの何れか一つの項に記載の同心度測定器。
【請求項５】
前記同心状部材が、口金とこの口金に接合されたパイプまたは／及びホースとからなることを特徴とする請求項１乃至４のうちの何れか一つの項に記載の同心度測定器。
【請求項６】
複数の部位が同心状に一体化された同心状部材における前記部位間の同心度測定方法であって、前記請求項１乃至５のうちの何れか一つの項に記載の同心度測定器を用いて、前記同心状部材の部位のうちの何れか一つの部位を測定基準部位として前記ホルダーに載置すると共に、前記同心状部材の同心度測定対象部位とする他の部位の円周上複数個所に前記測定針の先端を接触させて、前記寸法測定手段によって前記複数個所の相対的寸法を測定し、測定されたこれら複数の相対的寸法の最大値と最小値との差を求め、この差をもって前記測定基準部位と測定対象部位間の同心度とすることを特徴とする同心度測定方法。
【発明の詳細な説明】
【技術分野】
【０００１】
本発明は、複数の部位が同心状に一体化された同心状部材において、前記部位間の同心度を測定する同心度測定器に関する。
【背景技術】
【０００２】
断面が円形、円筒形、多角形または異形等の任意形状を有する複数の部位が同心状に一体化された同心状部材を生産したり、部品として利用したりする際、前記部位同士の同心度を迅速に検査することが必要となる場合が多々ある。このような部材としては、例えば、異なる外径を有する複数の円形断面部位を軸心方向に同心状に加工された軸部材や、異なる外形を有する部位を嵌合された嵌合部材等がある。
【０００３】
一方、円筒形部材における外径と内径の同心度を測定（検査）する従来例に係る同心度測定装置としては、例えば、回転される円筒ワークの一端から内径部内に光を入射させて前記円筒ワークの他端から撮像し、この撮像信号をデジタル化して撮像された前記内径部縁の触れ幅を検出することにより前記外径部と内径部との同心度を測定（検査）する装置が提案されている（特許文献１参照）。
【０００４】
また、同様の円筒形部材の他の従来例に係る同心度検査方法について、図８を用いて説明する。図８は、他の従来例に係る筒状体の同心度検査方法で外径部を示す図である。この従来例に係る同心度検査方法は、筒状体３３を光透過する製品固定部３１上に設置して下方の光源３２から光を照射し、前記筒状体３３の同心度測定箇所の端面部からＣＣＤカメラ３０で筒状体３３を映し出すものである。
【０００５】
そして同時に、その画像の外径円周をこのイメージ信号を画像処理することによって求め、次いで、前記外径円周に外接する真円の中心位置を求め、また前記筒状体３３の貫通孔の内径の円周に内接する真円の中心位置を求め、両中心位置の差を同心度とするものである（特許文献２参照）。
【０００６】
しかしながら、これら従来例に係る同心度測定装置や方法は、円筒形部材の外径部と内径部の同心度を測定（検査）することを目的とするものであって、断面が円形、円筒形、多角形または異形等の任意形状を有する複数の部位が同心状に一体化された同心状部材の同心度を測定（検査）する本発明の目的とは異なる。
【０００７】
更に、従来例に係る真円度測定方法および装置について、図９を参照しながら以下説明する。図９は、従来技術に係るワーク軸心の算出方法と形状誤差算出の流れ図である。
【０００８】
この従来例に係る真円度測定方法（装置）は、回転機構を有し、検出器によって被測定物の円周方向の半径の変化または円周方向及び軸方向の半径の変化を測定する真円度測定機において、被測定物の高さの異なる複数の測定位置における形状を測定し、測定データとして記憶する工程（手段）２０１と、複数の該測定データにおいて、中心位置の算出を選択する工程（手段）２０４と、複数の該中心位置を用いて、ワーク軸心を算出する工程（手段）２０６とを備えたものである（特許文献２参照）。
【特許文献１】特開平５−２８０９５７号公報
【特許文献２】特開２００５−２８３３００号公報
【特許文献３】特開２００１−９１２４４号公報
【発明の開示】
【発明が解決しようとする課題】
【０００９】
従って、前記真円度測定方法（装置）によれば、ワーク軸心の決定によって、異なる外径部位を有する被測定物であっても、これら部位間の同心度を正確に算出可能である。しかしながら、このような真円度測定装置は高価な装置であり、かつ、円形以外の形状を有する部位間の同心度は測定出来ない。また、迅速さが求められる生産現場において、簡単に製品検査に適用出来るものではない。
【００１０】
従って、本発明の目的は、複数の任意形状を有する部位が同心状に一体化された同心状部材において、前記部位間の同心度を迅速に測定し得る安価で簡便な同心度測定器及びこれを用いた同心度測定方法を提供するものである。
【課題を解決するための手段】
【００１１】
本発明の請求項１に係る同心度測定器が採用した手段は、複数の部位が同心状に一体化された同心状部材における前記部位間の同心度測定器であって、前記部位の何れか一つを載置するホルダーと、その他の部位の外形に接触させる測定針と、前記ホルダーに載置された同心状部材のその他の部位に前記測定針の先端を接触させた際、前記ホルダーに載置された何れか一つの前記部位の軸心と、その他の前記部位に接触した状態の測定針先端との相対的寸法を測定する寸法測定手段とを備えたことを特徴とするものである。
【００１２】
本発明の請求項２に係る同心度測定器が採用した手段は、請求項１に記載の同心度測定器において、前記寸法測定手段がノギスであって、前記ホルダーがこのノギスの外側測定用スライドジョーに固定される一方、前記測定針が前記ノギスの外側測定用先端ジョーに固定されたことを特徴とするものである。
【００１３】
本発明の請求項３に係る同心度測定器が採用した手段は、請求項１または２に記載の同心度測定器において、前記測定針が、前記同心状部材の軸心方向にスライド可能に構成されたことを特徴とするものである。
【００１４】
本発明の請求項４に係る同心度測定器が採用した手段は、請求項１乃至３のうちの何れか一つの項に記載の同心度測定器において、前記ノギスがデジタルノギスであることを特徴とするものである。
【００１５】
本発明の請求項５に係る同心度測定器が採用した手段は、請求項１乃至４のうちの何れか一つの項に記載の同心度測定器において、前記同心状部材が、口金とこの口金に接合されたパイプまたは／及びホースとからなることを特徴とするものである。
【００１６】
本発明の請求項６に係る同心度測定方法が採用した手段は、複数の部位が同心状に一体化された同心状部材における前記部位間の同心度測定方法であって、前記請求項１乃至５記載の同心度測定器を用いて、先ず、前記同心状部材の部位のうち測定基準部位となる何れか一つの部位を前記ホルダーに載置する。
【００１７】
そして次に、前記同心状部材の同心度測定対象部位とする他の部位の円周上複数個所に前記測定針の先端を接触させて、前記寸法測定手段によって前記複数個所の相対的寸法を測定し、測定されたこれら複数の相対的寸法の最大値と最小値との差を求め、この差をもって前記測定基準部位と同心度測定対象部位間の同心度とすることを特徴とするものである。
【発明の効果】
【００１８】
本発明の請求項１に係る同心度測定器は、複数の部位が同心状に一体化された同心状部材における前記部位間の同心度測定器であって、前記部位の何れか一つを載置するホルダーと、その他の部位の外形に接触させる測定針と、前記ホルダーに載置された同心状部材のその他の部位に前記測定針の先端を接触させた際、前記ホルダーに載置された何れか一つの前記部位の軸心と、その他の前記部位に接触した状態の測定針先端との相対的寸法を測定する寸法測定手段とを備えたものである。
【００１９】
従って、この上記同心度測定器によれば、複数の部位が同心状に一体化された同心状部材において、前記部位間の同心度を迅速に測定し得る安価で簡便な構成からなる同心度測定器を提供出来る。
【００２０】
また、本発明の請求項２に係る同心度測定器によれば、前記寸法測定手段がノギスであって、前記ホルダーがこのノギスの外側測定用スライドジョーに固定される一方、前記測定針が前記ノギスの外側測定用先端ジョーに固定されたものであるから、市販のノギスを利用して本発明に係る同心度測定器を簡単な構成で安価に製作し得る。
【００２１】
更に、本発明の請求項３に係る同心度測定器によれば、前記測定針が、前記同心状部材の軸心方向にスライド可能に構成されたものであるから、複数の部位が同心状に一体化された同心状部材において、前記部位の何れか一つをホルダーに載置したままで、その他複数の部位間の同心度を迅速に測定し得る。
【００２２】
また更に、本発明の請求項４に係る同心度測定器によれば、前記ノギスがデジタルノギスであるので、同心度の寸法測定が瞬時に行える。
【００２３】
本発明の請求項５に係る同心度測定器によれば、前記同心状部材が、口金とこの口金に接合されたパイプまたは／及びホースとからなるので、前記接合工程における口金とパイプまたは／及びホース間の同心度検査を迅速かつ低コストに行なえる。
【００２４】
一方、本発明の請求項６に係る同心度測定方法によれば、複数の部位が同心状に一体化された同心状部材における前記部位間の同心度測定方法であって、前記請求項１乃至６記載の同心度測定器を用いて、先ず、前記同心状部材の部位のうち測定基準部位となる何れか一つの部位を前記ホルダーに載置する。
【００２５】
次いで、前記同心状部材の同心度測定対象部位とする他の部位の円周上複数個所に前記測定針の先端を接触させて、前記寸法測定手段によって前記複数個所の相対的寸法を測定し、測定されたこれら複数の相対的寸法の最大値と最小値との差を求め、この差をもって前記測定基準部位と同心度測定対象部位間の同心度とするものであるから、前記相対的寸法の測定のみによって測定したい部位間の同心度を簡便、かつ迅速に測定出来る。
【発明を実施するための最良の形態】
【００２６】
以下、本発明の実施の形態１について、図１〜４を参照しながら説明する。図１は本発明の実施の形態１に係り、同心度測定器によりパイプと口金を接合されたパイプ接合口金の同心度を測定する状態を正面視した正面図、図２は図１のＸ−Ｘ矢視を一部断面で示した側面図、図３は口金にパイプを接合されたパイプ接合口金の接合構造を示す部分断面図、図４はホルダーに載置された何れか一つの部位の軸心とその他の部位に接触した状態の測定針先端との相対的寸法の概念を説明するための説明図である。
【００２７】
本発明の実施の形態１に係る同心度測定器１は、後述する如くパイプ２２を口金２１に加締によって同心状に接合されたパイプ接合口金２０において、前記口金２１の加締部２４ａとパイプ２２の同心度を測定するための同心度測定器の一実施例である。
【００２８】
即ち、この同心度測定器１は、図１及び図２に示す如く、前記パイプ２２を測定基準部位として載置するホルダー２と、このホルダー２に載置されたパイプ接合口金２０の加締部２４ａを測定対象部位として接触させる測定針３と、前記ホルダー２に載置されたパイプ接合口金２０のパイプ２２の軸心Ｃと前記測定針３先端（即ち、加締部２４ａ）とのなす寸法に対応した相対的寸法を測定するノギス４とからなる。
【００２９】
そして、同心度測定器１の前記ホルダー２は、前記パイプ接合口金２０のパイプ２２の外径に一致させた円周状溝が形成されると共に、前記円周溝の溝方向が前記パイプ２２の軸心Ｃ方向に一致するよう、ノギス４を構成するスライダー５ａと一体化された外側測定用スライドジョー５に、六角穴付小ネジ８ａにより固定されている。
【００３０】
一方、前記測定針３は、ノギス４を構成する外側測定用先端ジョー６に、この外側測定用先端ジョー６の長手方向では、前記ホルダー２に形成された円周状溝の最底部の位置に一致させると共に、前記パイプ２２の軸心Ｃ方向では、前記パイプ接合口金２０のパイプ２２を前記ホルダー２に載置したとき、前記測定針３が口金２１の加締部２４ａに一致するよう、前記ホルダー２と対向する向きに六角穴付小ネジ８ｂにより固定されている。
【００３１】
前記ノギス４は市販品を用いることが出来るが、デジタル式表示部７の付いたデジタルノギスであるのが好ましい。デジタルノギスは測定値を数値表示するので瞬時に測定値を読み取ることが出来、測定の作業効率が向上するからである。
【００３２】
前記パイプ接合口金２０は、例えば図３に示す如く、パイプ２２と底部２４を有する円筒部２５から構成された口金２１とを加締によって接合したものである。即ち、先ず、前記口金２１の底部２４に前記円筒部２５と同心に設けられた開孔部２４ｂより、外周にリング状凹溝２３ａ，２３ｂを設けられたパイプ２２を差し込む。
【００３３】
その後、前記口金２１の前記底部２４ｂ外周に位置する加締部２４ａを、８分割された加締爪を有する加締機によって、求心方向に加締めて前記口金２１とパイプ２２とを接合し、前記パイプ２２の管端をニップル２３として形成したものである。ここで、前記リング状凹溝２３ａ，２３ｂは、後述する本発明の実施の形態２において説明するホース接合のため必要なものである。
【００３４】
この様にして加締られたパイプ接合口金２０の加締部２４ａは、８分割された加締爪と接触して円周状に圧接される一方、前記加締爪の非接触部は圧接によって口金２１母材が塑性流動して盛り上がるため、目視によって見分けることが出来る。従って、前記パイプ２２と口金２１との同心度は、測定基準部位となる前記パイプ２２と、加締爪によって加締められた口金２１外周の測定対象となる８箇所の加締部２４ａとの同心度を測定することが肝要である。
【００３５】
次に、前記図１〜３を参照しながら、本発明の実施の形態１に係る同心度測定器を用いて、前記パイプ接合口金２０のパイプ２２と口金２１の加締部２１ａとの同心度測定方法について手順を追って説明する。
【００３６】
・  先ず、同心度測定器１を垂直方向に立てた状態で、口金２１側が測定針３側になるように、パイプ接合口金２０のパイプ２２部を前記ホルダー２の円周状溝に合わせて載置する。
・  そして、前記口金２１の８箇所の前記加締部２１ａの一つが円周上、同心度測定器１の測定針３位置に来るように、パイプ接合口金２０を周方向に回転させて位置決めする。
【００３７】
・  前記パイプ２２をホルダー２の円周状溝２ａに密着状態にしたままで、スライダー５ａを上方向にスライドさせ、測定針３の先端が口金２１の加締部２４ａに接触すると、デジタル表示部７の数値を読み取って前記パイプ２２の軸心Ｃと加締部２４ａとの相対的寸法とする。
【００３８】
・  更に、前記口金２１の他の７箇所の加締部２１ａが同心度測定器１の測定針３位置に来るように、パイプ接合口金２０を少しずつ周方向に回転させながら、前記パイプ２２の軸心Ｃと加締部２１ａとの相対的寸法を順次測定する。
・  そして、これら８箇所の測定値（相対的寸法）の最大値と最小値の差をもって、前記パイプ２２と口金２１の加締部２４ａとの同心度とするのである。
【００３９】
ここで、前記ホルダーに載置された何れか一つの前記部材の軸心とその他の前記部位に接触した状態の測定針先端との「相対的寸法」の概念について、以下図４を参照しながら説明する。図４において、パイプ接合口金２０のパイプ２２と口金２１の加締部２４ａとの同心度は、本来前記パイプ２２の軸心Ｃと加締部２４ａ間の寸法Ｌ０を、８箇所の加締部２４ａについて夫々測定して求められるべきものである。
【００４０】
しかしながら、前記パイプ２２の軸心Ｃ位置を簡単に測定することは困難である。そこで、本発明に係る同心度測定器及びこれを用いた測定方法おいては、この「相対的寸法」を測定することによって、前記同心度と同義な値が得られることを以下説明する。
【００４１】
本発明の実施の形態１に係る同心度測定器及びこれを用いた測定方法は、図４に示した状態におけるデジタルノギスが測定した表示値は、外側測定用スライドジョー５の上端と外側測定用先端ジョー６の下端間の寸法Ｌの測定値を示しているのであって、前記パイプ２２の軸心Ｃと測定針３先端（加締部２４ａ上部）間の寸法Ｌ０を示している訳ではない。従って、本発明においては、前記寸法Ｌを「相対的寸法」と称する。
【００４２】
そこで今、本発明の実施の形態１において説明した同心度測定方法に従って、
パイプ接合口金２０のパイプ２２と口金２１の８箇所の加締部２４ａとの同心度を測定したときのデジタルノギスの表示値、即ち、「相対的寸法」Ｌの内、最大値をＬｍａｘ、最小値をＬｍｉｎとし、夫々に対応した実際の同心度寸法Ｌ０の最大値をＬ０ｍａｘ、最小値をＬ０ｍｉｎとすれば、次式（１），（２）が成立する。
Ｌｍａｘ＝Ｌ０ｍａｘ＋（Ｌ１＋Ｌ２）                      （１）
Ｌｍｉｎ＝Ｌ０ｍｉｎ＋（Ｌ１＋Ｌ２）                      （１）
【００４３】
そして、前式（１）と（２）の差を求めれば、（Ｌ１＋Ｌ２）は同一値と見做して、左辺と右辺を入れ替えると次式（３）が求められる。
Ｌ０ｍａｘ−Ｌ０ｍｉｎ＝Ｌｍａｘ−Ｌｍｉｎ                （３）
即ち、外側測定用スライドジョー５の上端と外側測定用先端ジョー６の下端間の寸法Ｌ、即ち、「相対的寸法」の最大値と最小値の差（Ｌｍａｘ−Ｌｍｉｎ）を求めれば、上述した本発明に係る同心度測定方法の同心度、（Ｌ０ｍａｘ−Ｌ０ｍｉｎ）を求めるのと同義となるのである。
【００４４】
従って、前記「相対的寸法」Ｌの測定概念はこの様な意味を有している。そして、前式（３）より、「相対的寸法」の最大値と最小値の差（Ｌｍａｘ−Ｌｍｉｎ）が０に近づく程、同心度が高いことを意味している。
【００４５】
また、上記の説明から良く理解される様に、前記寸法Ｌ１及びＬ２は、如何なる寸法であっても、前記「相対的寸法」を測定する間変更しない限り、この「相対的寸法」を測定することによって同心度測定と同義となるので、寸法上何らの制約は無い。
【００４６】
以上の通り、本発明の実施の形態１に係る同心度測定器によれば、パイプと口金を接合されたパイプ接合口金のパイプを載置するホルダーと、前記口金の加締部に接触させる測定針と、前記ホルダーに載置されたパイプに前記測定針の先端を接触させた際、前記ホルダーと前記測定針先端との相対的寸法を測定するデジタルノギスとからなるので、前記パイプ接合口金を構成するパイプと口金の同心度を迅速に測定し得る。
【００４７】
また、本発明の実施の形態１に係る同心度測定方法によれば、本発明の同心度測定器を用いて、前記パイプ接合口金の部位のうち測定基準となるパイプを前記ホルダーに載置すると共に、同心度測定対象とする口金の加締部の円周上８個所に前記測定針の先端を接触させて、前記デジタルノギスによって前記複数個所の相対的寸法を測定し、測定されたこれら複数の相対的寸法の最大値と最小値との差を求め、この差をもって前記測定基準とした部位と同心度測定対象とした部位間の同心度とするものであるので、前記相対的寸法の測定によって測定したい部位間の同心度を簡便、かつ迅速に測定出来る。
【００４８】
デジタルノギスにはゼロ点を補正する機能が付与されており、最初に加締部２４ａを測定した時にゼロ点補正を行っておくと、残りの７箇所の加締部２４ａを測定する際は、前記ノギスに表示される値で最大値と最小値との差を求めれば済むので、相対的寸法が大きくなっても計算の手間が余り増えないという利点もある。
【００４９】
つまり、通常、測定値のばらつきは±０．３ｍｍ程度であるので、ゼロ点補正を行った場合、例えば、最大値０．３、最小値−０．２とすれば、０．３−（−０．２）＝０．３＋０．２＝０．５と簡単に計算出来る。ところが、ゼロ点補正しない場合は、例えば、最大値１９．１、最小値１８．６とすれば、１９．１−１８．６＝０．５と二桁以上の数値で引き算する必要がある。
【００５０】
次に、本発明の実施の形態２について、図５〜７を参照しながら説明する。図５は本発明の実施の形態２に係り、同心度測定器によりパイプとホースを口金に接合されたパイプ・ホース接合口金の同心度を測定する状態を正面視した正面図、図６は図５のＹ−Ｙ矢視を一部断面で示した側面図、図７はパイプとホースを口金に接合されたパイプ・ホース接合口金の接合構造を示す部分断面図である。
【００５１】
但し、本発明の実施の形態２が上記実施の形態１と相違するところは、測定針と同心状部材の構成に相違があり、これ以外は上記実施の形態１と全く同構成であるから、上記実施の形態１と同一のものに同一符号を付して、以下その相違する点について説明する。
【００５２】
即ち、上記実施の形態１の測定針３が、ノギス４の外側測定用先端ジョー６への固定金具と一体的に構成されているのに対し、本実施の形態２の測定針３は、所定長のスライド部材３ａの先端に形成されると共に、このスライド部材３ａが、測定針固定金具９に同心状部材（パイプ・ホース接合口金）３０のパイプ２２の軸心Ｃ方向に形成された凹状溝９ａに嵌め込まれ、前記軸心Ｃ方向にスライド可能に構成されている。
【００５３】
一方、上記実施の形態１の測定対象である同心状部材が、パイプ２２と口金２１とを接合したパイプ接合口金２０であったのに対し、本実施の形態２の同心状部材は、図７に示す如く、前記パイプ接合口金２０のニップル２３に更にホース２６を差し込み、下記の如く加締めて接続されている。
【００５４】
即ち、ホース２６を差し込まれたニップル２３の外周に設けられたリング状凹溝２３ａ，２３ｂの、前記パイプ接合口金２０の軸方向位置に相当する前記口金２１の加締部２５ａ，２５ｂを、実施の形態１と同様、８個に分割された加締爪を有する加締機によって求心方向に加締めて前記パイプ接合口金２０とホース２６とを接合し、パイプ・ホース接合口金３０として形成したものである。
【００５５】
前記加締部２５ａ，２５ｂにおける夫々８箇所の加締爪接触部は円周状に圧接され、加締爪の被接触部は前記加締爪間で口金２１の母材が盛り上がっているため、目視によって見分けることが出来る。従って、前記パイプ２２と口金２１及びホース２６との同心度は、測定基準部位となる前記パイプ２２と加締爪によって加締められた口金２１の夫々８箇所の加締部２５ａ，２５ｂ及びホース２６との同心度を測定することが肝要である。
【００５６】
次に、前図４〜６を参照しながら、本発明の実施の形態２に係る同心度測定器を用いて、前記パイプ・ホース接合口金３０のパイプ２２と口金２１の加締部２５ａ，２５ｂとの同心度測定方法について手順を追って説明する。
【００５７】
・  先ず、同心度測定器１を垂直方向に立てた状態で、口金２１側が測定針３側に来るように、パイプ・ホース接合口金３０のパイプ２２を前記ホルダー２の円周状溝に載置する。
・  そして、前記測定針３のスライド部３ａを、前記測定針３が前記口金２１の加締部２５ａ位置に来るまでパイプ２２の軸心Ｃ方向にスライドさせる一方、前記口金２１の円周上８箇所の加締部２５ａの一つが同心度測定器１の測定針３位置に来るように、パイプ・ホース接合口金３０を周方向に回転させて位置決めする。
【００５８】
・  次いで、前記パイプ２２をホルダー２の円周状溝に密着状態にしたままで、ノギス４のスライダー５ａを上方向にスライドさせ、測定針３の先端が口金２１の加締部２５ａの一つに接触させて、前記パイプ２２の軸心Ｃと口金２１の加締部２５ａとの相対的寸法を測定する。
【００５９】
・  次に、前記口金２１の他の７箇所の加締部２５ａが同心度測定器１の測定針３位置に来るように、パイプ・ホース接合口金３０を少しずつ周方向に回転させながら、前記パイプ２２の軸心Ｃと加締部２５ａとの相対的寸法を順次測定する。そして、これら測定された８箇所の相対的寸法の最大値と最小値の差をもって前記パイプ２２の軸心Ｃと加締部２5ａとの同心度とするのである。
【００６０】
・  次いで、前記測定針３のスライド部３ａを、前記測定針３が口金２１の他の加締部２５ｂ位置に来るまでパイプ２２の軸心Ｃ方向にスライドさせる一方、前記口金２１の８箇所の加締部２５ｂの一つが同心度測定器１の測定針３位置に来るように、パイプ・ホース接合口金３０を周方向に回転させて位置決めして、前項（３），（４）と同様に、パイプ２２の軸心Ｃと口金２１の加締部２５ｂとの相対的寸法を測定し同心度を求める。
【００６１】
本発明の実施の形態に係る同心度測定器及びこれを用いた測定方法は、パイプと口金とを同心状に接合されたパイプ接合口金や、パイプ及びホースと口金とを同心状に接合されたパイプ・ホース接合口金からなる同心状部材の同心度を測定する一実施例で示した。
【００６２】
しかしながら、本発明に係る同心度測定器及びこれを用いた測定方法の測定対象は、このような同心状部材に限定されるものではなく、断面が円形、円筒形、多角形または異形等の任意形状を有する複数の部位が同心状に一体化された同心状部材であれば良い。また、このような同心状部材を測定対象とする本発明に係る同心度測定器の前記ホルダーや測定針の形状は、対象とする部位に合わせて形成出来ることは言うまでも無い。
【００６３】
以上、本発明に係る同心度測定器は、複数の部位が同心状に一体化された同心状部材における前記部位間の同心度測定器であって、前記部位の何れか一つを載置するホルダーと、その他の部位の外形に接触させる測定針と、前記ホルダーに載置された何れか一つの前記部位の軸心と、その他の前記部位に接触した状態の測定針先端との相対的寸法を測定する寸法測定手段とを備えた簡便なものであるから、同心状部材の任意形状を有する部位間の同心度測定器を、安価に提供し得る。
【００６４】
また、本発明に係る同心度測定方法によれば、複数の部位が同心状に一体化された同心状部材における前記部位間の同心度測定方法であって、測定基準となる何れか一つの部位を前記ホルダーに載置すると共に、同心度測定対象とする他の部位の円周上複数個所に前記測定針の先端を接触させて、前記寸法測定手段によって前記複数個所の相対的寸法を測定するものである。
【００６５】
そして、測定されたこれら複数の相対的寸法の最大値と最小値との差を求め、この差をもって前記測定基準とした部位と同心度測定対象とした部位間の同心度とするものであるから、前記相対的寸法の測定だけで測定したい部位間の同心度を簡便、かつ迅速に測定出来る。
【図面の簡単な説明】
【００６６】
【図１】本発明の実施の形態１に係り、同心度測定器によりパイプと口金を接合されたパイプ接合口金の同心度を測定する状態を正面視した正面図である。
【図２】図１のＸ−Ｘ矢視を一部断面で示した側面図である。
【図３】口金にパイプを接合されたパイプ接合口金の接合構造を示す部分断面図である。
【図４】ホルダーに載置された何れか一つの部位の軸心とその他の部位に接触した状態の測定針先端との相対的寸法の概念を説明するための説明図である。
【図５】本発明の実施の形態２に係り、同心度測定器によりパイプとホースを口金に接合されたパイプ・ホース接合口金の同心度を測定する状態を正面視した正面図である。
【図６】図５のＹ−Ｙ矢視を一部断面で示した側面図である。
【図７】パイプとホースを口金に接合されたパイプ・ホース接合口金の接合構造を示す部分断面図である。
【図８】従来技術に係るワーク軸心の算出方法と形状誤差算出の流れ図である。
【図９】従来技術に係るワーク軸心の算出方法と形状誤差算出の流れ図である。
【符号の説明】
【００６７】
Ｃ：パイプ接合口金のパイプ軸心
１：同心度測定器，    ２：ホルダー，
３：測定針，  ３ａ：スライド部，
４：（ノギス）デジタルノギス，
５：外側測定用スライドジョー，  ５ａ：スライダー，
６：外側測定用先端ジョー，    ７：デジタル表示部，
８ａ，８ｂ：六角穴付小ネジ，
９：測定針固定部，  ９ａ：凹状溝，
２０：パイプ付口金，    ２１：口金，    ２２：パイプ，
２３：ニップル，  ２３ａ，２３ｂ：リング状凹溝，
２４：底部，  ２４ａ：加締部，  ２４ｂ：開孔部，
２５：円筒部，  ２５ａ，２５ｂ：加締部
２６：ホース，    ３０：パイプ・ホース付口金
【図１】
2008185562.tif 000003
【図２】
2008185562.tif 000004
【図３】
2008185562.tif 000005
【図４】
2008185562.tif 000006
【図５】
2008185562.tif 000007
【図６】
2008185562.tif 000008
【図７】
2008185562.tif 000009
【図８】
2008185562.tif 000010
【図９】
2008185562.tif 000011
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
複数の部位が同心状に一体化された同心状部材における前記部位間の同心度測定器であって、
前記同心状部材を構成する部位のうちの何れか一つの部位を測定基準部位として、この測定基準部位の外径に一致させて形成された周状溝に載置するホルダーと、
前記同心状部材の軸心と直交方向では、前記ホルダーに形成された周状溝の最底部の位置に一致させると共に、前記同心状部材の軸心方向では、この同心状部材の測定基準部位を前記ホルダーに載置したとき、その先端が同心度測定対象となる測定対象部位の外形に一致するよう前記ホルダーと対向する向きに固定された測定針と、
前記ホルダーに載置された同心状部材の前記測定対象部位に前記測定針の先端を接触させた際、前記ホルダーに載置された前記測定基準部位の軸心と、前記測定対象部位に接触した状態の測定針先端とのなす寸法に対応した相対的寸法を測定する寸法測定手段とを備えたことを特徴とする同心度測定器。
【請求項２】
前記寸法測定手段がノギスであって、前記ホルダーがこのノギスの外側測定用スライドジョーに、前記周状溝の溝方向がこのスライドジョーに直交して固定される一方、前記測定針が前記ノギスの外側測定用先端ジョーに固定されたことを特徴とする請求項１に記載の同心度測定器。
【請求項３】
前記測定針が、前記同心状部材の軸心方向にスライド可能に構成されたことを特徴とする請求項１または２に記載の同心度測定器。
【請求項４】
前記ノギスがデジタルノギスであることを特徴とする請求項１乃至３のうちの何れか一つの項に記載の同心度測定器。
【請求項５】
前記同心状部材が、口金とこの口金に接合されたパイプまたは／及びホースとからなることを特徴とする請求項１乃至４のうちの何れか一つの項に記載の同心度測定器。
【請求項６】
複数の部位が同心状に一体化された同心状部材における前記部位間の同心度測定方法であって、前記請求項１乃至５のうちの何れか一つの項に記載の同心度測定器を用いて、前記同心状部材の部位のうちの何れか一つの部位を測定基準部位として前記ホルダーに載置すると共に、前記同心状部材の同心度測定対象部位とする他の部位の円周上複数個所に前記測定針の先端を接触させて、前記寸法測定手段によって前記複数個所の相対的寸法を測定し、測定されたこれら複数の相対的寸法の最大値と最小値との差を求め、この差をもって前記測定基準部位と測定対象部位間の同心度とすることを特徴とする同心度測定方法。
【手続補正２】
【補正対象書類名】明細書
【補正対象項目名】００１１
【補正方法】変更
【補正の内容】
【００１１】
本発明の請求項１に係る同心度測定器が採用した手段は、複数の部位が同心状に一体化された同心状部材における前記部位間の同心度測定器であって、前記同心状部材を構成する部位のうちの何れか一つの部位を測定基準部位として、この測定基準部位の外径に一致させて形成された周状溝に載置するホルダーと、前記同心状部材の軸心と直交方向では、前記ホルダーに形成された周状溝の最底部の位置に一致させると共に、前記同心状部材の軸心方向では、この同心状部材の測定基準部位を前記ホルダーに載置したとき、その先端が同心度測定対象となる測定対象部位の外形に一致するよう前記ホルダーと対向する向きに固定された測定針と、前記ホルダーに載置された同心状部材の前記測定対象部位に前記測定針の先端を接触させた際、前記ホルダーに載置された前記測定基準部位の軸心と、前記測定対象部位に接触した状態の測定針先端とのなす寸法に対応した相対的寸法を測定する寸法測定手段とを備えたことを特徴とするものである。
【手続補正３】
【補正対象書類名】明細書
【補正対象項目名】００１２
【補正方法】変更
【補正の内容】
【００１２】
本発明の請求項２に係る同心度測定器が採用した手段は、請求項１に記載の同心度測定器において、前記寸法測定手段がノギスであって、前記ホルダーがこのノギスの外側測定用スライドジョーに、前記周状溝の溝方向がこのスライドジョーに直交して固定される一方、前記測定針が前記ノギスの外側測定用先端ジョーに固定されたことを特徴とするものである。
【手続補正４】
【補正対象書類名】明細書
【補正対象項目名】００１８
【補正方法】変更
【補正の内容】
【００１８】
本発明の請求項１に係る同心度測定器は、複数の部位が同心状に一体化された同心状部材における前記部位間の同心度測定器であって、前記同心状部材を構成する部位のうちの何れか一つの部位を測定基準部位として、この測定基準部位の外径に一致させて形成された周状溝に載置するホルダーと、前記同心状部材の軸心と直交方向では、前記ホルダーに形成された周状溝の最底部の位置に一致させると共に、前記同心状部材の軸心方向では、この同心状部材の測定基準部位を前記ホルダーに載置したとき、その先端が同心度測定対象となる測定対象部位の外形に一致するよう前記ホルダーと対向する向きに固定された測定針と、前記ホルダーに載置された同心状部材の前記測定対象部位に前記測定針の先端を接触させた際、前記ホルダーに載置された前記測定基準部位の軸心と、前記測定対象部位に接触した状態の測定針先端とのなす寸法に対応した相対的寸法を測定する寸法測定手段とを備えたものである。
【手続補正５】
【補正対象書類名】明細書
【補正対象項目名】００２０
【補正方法】変更
【補正の内容】
【００２０】
また、本発明の請求項２に係る同心度測定器によれば、前記寸法測定手段がノギスであって、前記ホルダーがこのノギスの外側測定用スライドジョーに、前記周状溝の溝方向がこのスライドジョーに直交して固定される一方、前記測定針が前記ノギスの外側測定用先端ジョーに固定されたものであるから、市販のノギスを利用して本発明に係る同心度測定器を簡単な構成で安価に製作し得る。